(57)【要約】      （修正有）【課題】パチンコ機、スロット機等の遊技機に設けられ、遊技者が店員を呼び出すために使用する呼び出しボタン装置であって、ボタン操作を楽に行うことができ、しかも監視カメラを併設できるものを提供する。【解決手段】遊技機１の側部にベース部材１０を設け、監視カメラと、呼び出しランプ装置を点灯させる呼び出しボタン５とを並べてベース部材に取付けた。監視カメラの直下部に呼び出しボタンを配置し、監視カメラを呼び出しボタンよりも手前側に膨出する半透明なカバーで覆っておく。【選択図】図１
0003190184.tif 000002
【実用新案登録請求の範囲】
【請求項１】
遊技機の側部にベース部材を設け、監視カメラと、呼び出しランプ装置を点灯させる呼び出しボタンとを並べて前記ベース部材に取付けたことを特徴とする呼び出しボタン装置。
【請求項２】
前記監視カメラの直下部に呼び出しボタンが設けられ、該監視カメラが前記呼び出しボタンよりも手前側に膨出する半透明なカバーで覆われている請求項１に記載の呼び出しボタン装置。
【考案の詳細な説明】
【技術分野】
【０００１】
本考案は、パチンコ機、スロット機等の遊技機に付設され、トラブルが発生した場合等に店員を呼び出すために使用される呼び出しボタン装置に関するものである。
【背景技術】
【０００２】
パチンコ機、スロット機等の遊技機には、トラブル等を店員（ホールスタッフ）に素早く知らせることを目的とした呼び出しランプ装置が付設されている。この呼び出しランプ装置は、大当たりが出た場合にランプが点灯して客や店員に知らせるとともに、玉詰まりや遊技機のトラブルが発生した時に、客が呼び出しボタンを押すことにより点灯させて店員を呼び出すことが出来るようになっている。
【０００３】
なお、上記呼び出しランプ装置には、遊技機の作動状況（遊技情報）や玉数等を表示する表示装置を設けているのが一般的であり、遊技機の大当たり（特賞ＢＢ）回数、確率変動（特賞状態が発生する確率の変動）、スタート回数（特賞状態が終了してから現在までの電動役物が作動した回数）等の遊技情報を表示するようになっている。
【０００４】
ところで、従来の呼び出しボタンは、押圧面積が狭すぎると咄嗟に押すのが難しく、逆に広すぎるとボタンが傾いてうまくスイッチオンできないという問題があった。そこで、本件出願人は、押圧面積が広く、しかも確実にスイッチオンできる呼び出しボタンを開発し、実用新案登録を得ている（特許文献１参照）。
【先行技術文献】
【特許文献】
【０００５】
【特許文献１】実用新案登録第３１７３６３０号公報
【考案の概要】
【考案が解決しようとする課題】
【０００６】
上記特許文献１に記載のものを含め、従来の呼び出しボタンは、一般的に遊技機の上部の呼び出しランプ装置に付設されていたので、着座した遊技者が押すためには背伸びしたり手を伸ばしたりする必要があり、不便であった。特に最近は高齢の遊技者が増加しているので、呼び出しボタンをより操作しやすくすることが望まれている。
【０００７】
一方、遊技店では、不正防止や顧客管理のため、遊技者や店内状況を監視することのできる監視カメラを設置している。しかしながら、この種の監視カメラを遊技機１台ごとに目立たないように設置するのが難しく、適当な設置場所もなかったので、監視カメラをより効果的にかつ目立たないように設置することが出来る方法に対する要望も強かった。そこで本考案は、呼び出しボタンをより操作しやすくするとともに、監視カメラを遊技機１台ごとに目立たないように設置できる技術を提供することを課題としている。
【課題を解決するための手段】
【０００８】
上記課題を解決するため、本考案は次のような構成を採用した。すなわち、本考案に係る呼び出しボタン装置は、遊技機の側部にベース部材を設け、監視カメラと、呼び出しランプ装置を点灯させる呼び出しボタンとを並べて前記ベース部材に取付けたことを特徴としている。監視カメラと呼び出しボタンを取り付けたベース部材は、遊技機１台ごとに設置しておくのが好ましい。
【０００９】
請求項２に記載のように、前記監視カメラの直下部に呼び出しボタンが設けられ、該監視カメラが前記呼び出しボタンよりも手前側に膨出する半透明なカバーで覆われている構造とするのがより好ましい。
【考案の効果】
【００１０】
本考案に係る呼び出しボタン装置は、呼び出しボタンが、従来のような呼び出しランプ装置の位置ではなく、遊技機の側部に設けられているので、遊技者は無理に手を伸ばしたり、背伸びをしたりしなくても簡単に操作することができることとなり便利である。また、呼び出しボタンの押圧部の近傍に、監視カメラを隠すカバーを設けておくことにより、当該カバーが張出して呼び出しボタンを防護する状態となるので、誤ってボタンを押すようなミスを効果的に防止することができる。
【図面の簡単な説明】
【００１１】
【図１】遊技機であるパチンコ機の正面図である。
【図２】呼び出しボタン装置の斜視図である。
【図３】呼び出しボタン装置の正面図である。
【図４】呼び出しボタン装置の側面図である。
【図５】呼び出しボタン装置の平面図である。
【図６】監視カメラだけを取付ける場合の参考図である。
【考案を実施するための形態】
【００１２】
以下、本考案の実施形態について具体的に説明する。図１は、呼び出しランプ装置と呼び出しボタン装置を備えた遊技機（図示例ではパチンコ機）をあらわすもので、この遊技機１の上部に呼び出しランプ装置２が設けられている。図中のＬは呼び出しランプであり、呼び出しボタンが押圧操作されると点灯（点滅）する。また、遊技機の一方の側部（図示例では左側）には玉貸機３が設けられ、遊技機本体下に獲得した玉を収容するかもしくは玉貸機３の内部に獲得した玉を収容する獲得玉収容容器４が設けられている。
【００１３】
遊技機１の上記玉貸し機３の左側に設けられているフレーム（間柱）１ａには、呼び出しボタン５と監視カメラ７を併設した呼出しボタン装置８が設置されている。すなわち、間柱１ａに上下に長いベース部材１０が固着（図示例ではネジ止め）され、このベース部材１０の上側に監視カメラ７が取付けられ、その下側に呼び出しボタン５が取付けられている。図示例では遊技機１の左側に設けられているが、遊技機１の左右いずれの側の間柱に設置することが可能である。監視カメラ７は、ベース部材１０に取り付けた概略かまぼこ型の黒っぽい半透明のプラスチック製カバー１１によって目立たないように覆われていて、遊技者に余計な心労をかけないようになっている。なお、遊技機自体に監視カメラと呼び出しボタンを内臓させると、よりコンパクトな構成となる。
【００１４】
呼び出しボタン５は、押圧操作に便利な広さをもっており、上記カバー１１の直下部に設けられている。カバー１１は、監視カメラ７を内臓するに十分な空間を備えているので、その分手前側に膨出している。このため、直下部の呼び出しボタン５は当該カバーによって防護された状態をなり、誤って押圧操作することが効果的に防止される。
【００１５】
なお、図示例のように、呼び出しボタン５の表面に呼び出しボタンであることを示す表示（図示例では「呼出」の文字）を設けておけば、初めての遊技者でもこれが呼び出しボタンであることを容易に理解できるので好ましい。さらに、呼び出しボタンを半透明の材質で製作し、内部にＬＥＤ等の発光体を設けて、押圧したときにボタン自身が光るようにしておけば、現在呼び出し中であることが示されるので、遊技者は安心できる。
【００１６】
この呼び出しボタン５を押すと、呼び出しランプ装置のランプＬが点灯（赤色で点滅するものが多い）し、店員を呼び出すことが出来る。店員は、呼び出しランプ装置に設けられている消灯スイッチを押すことにより、呼び出しランプＬを消灯することができる。本考案では、呼び出しボタン５が、遊技機１の上部ではなく、各遊技機の側部フレームに設けられているので、遊技者は無理に手を伸ばしたり、背伸びしたり、立ち上がったりすることなく簡単に押圧することができる。このため、女性や高齢者でも容易に店員を呼び出すことができる。
【００１７】
一方、監視カメラ７も呼び出しボタン５とともに遊技機の側部に設けられているので、遊技者を確実に監視することができる。しかも、呼び出しボタン５を操作する時は、顔を呼び出しボタン５側（監視カメラ７側でもある）に向けるのが一般的であるで、遊技者の顔を明確に撮影することができ、顧客管理に利用することができる。なお、この監視カメラ７は、半透明のカバー１１によって覆われているので、目立つことはなく、遊技者に余計な心理的負担を掛けるおそれはない。
【００１８】
次に、図６は呼び出しボタンを併設せず、監視カメラ７だけを遊技機の側部に設ける例を表す。この場合は、監視カメラ７の下側に呼び出しボタン５が存在しないので、ベース部材１０と同様な上下に長いカバー１１‘を付け替えればよい。このようにして、監視カメラ７だけを遊技機の側部に取付けておくことも可能である。
【産業上の利用可能性】
【００１９】
本考案に係る呼び出しボタン装置は、パチンコ機、スロット機等の遊技機の店員呼び出し用のボタンとして有効に利用できる。
【符号の説明】
【００２０】
１  遊技機
２  呼び出しランプ装置
３  玉貸し機
５  呼び出しボタン
７  監視カメラ
８  呼び出しボタン装置
１０  ベース部材
１１  カバー
【図１】
0003190184.tif 000003
【図２】
0003190184.tif 000004
【図３】
0003190184.tif 000005
【図４】
0003190184.tif 000006
【図５】
0003190184.tif 000007
【図６】
0003190184.tif 000008